(57)【要約】【課題】少量の除菌水で洗い場床全体を除菌することができる浴室洗い場用除菌水吐水装置を提供すること。【解決手段】除菌水生成部と、除菌水を床に吐水する吐水口を有するノズルと、ノズルの動作を制御する制御部とを備えている。制御部は、ノズルを動かすことで洗浄領域を変更し、除菌水を床の全体に連続吐水する第一除菌水吐水工程と、第一除菌水吐水工程の後に実行され、ノズルを動かすことで洗浄領域を変更し、除菌水を床の全体に連続吐水する第二除菌水吐水工程と、第一除菌水吐水工程と第二除菌水吐水工程との間に除菌水の吐水を停止することで、除菌水が菌に作用する時間を確保する作用時間確保工程と、を実行する。【選択図】図５
2016174754.tif 000002
【特許請求の範囲】
【請求項１】
排水勾配を有する床に除菌水を吐水する浴室洗い場用除菌水吐水装置であって、
水道水を変性して前記除菌水を生成する除菌水生成部と、
前記除菌水を前記床に吐水する吐水口を有するノズルと、
前記ノズルの動作を制御する制御部と、
を備え、
前記制御部は、
前記ノズルを動かすことで洗浄領域を変更し、前記吐水口から前記除菌水を前記床の全体に連続吐水する第一除菌水吐水工程と、
前記第一除菌水吐水工程の後に実行され、前記ノズルを動かすことで洗浄領域を変更し、前記吐水口から前記除菌水を前記床の全体に連続吐水する第二除菌水吐水工程と、
前記第一除菌水吐水工程と前記第二除菌水吐水工程との間に前記吐水口からの前記除菌水の吐水を停止することで、前記除菌水が菌に作用する時間を確保する作用時間確保工程と、
を実行することを特徴とする浴室洗い場用除菌水吐水装置。
【請求項２】
前記第一除菌水吐水工程の吐水と前記第二除菌水吐水工程の吐水を、同じ洗浄領域から開始することを特徴とする請求項１記載の浴室洗い場用除菌水吐水装置。
【請求項３】
前記第二除菌水吐水工程における前記除菌水の吐水量は、前記第一除菌水吐水工程における前記除菌水の吐水量よりも少ないことを特徴とする請求項１または２に記載の浴室洗い場用除菌水吐水装置。
【発明の詳細な説明】
【技術分野】
【０００１】
本発明は、浴室洗い場用除菌水吐水装置に関する。
【背景技術】
【０００２】
例えば、浴室の洗い場床には、人体の洗浄に使用された石鹸やシャンプーなどのかす、人体から発生したアカ（タンパク質系、炭水化物系、油脂系、塩類等）などの汚れが付着する。このような汚れに起因した菌を除菌するための洗浄装置が提案されている。特許文献１には、浴室の洗い場床に除菌水を吐水する構成が開示されている。
【先行技術文献】
【特許文献】
【０００３】
【特許文献１】特開２００８−１６８２３０号公報
【発明の概要】
【発明が解決しようとする課題】
【０００４】
洗い場床の全体に大量の除菌水を吐水すれば、床面全体をムラなく除菌できる。あるいは、少量の除菌水でも、除菌水が床面上に水膜となってとどまり、床面の菌に作用する時間を長くすれば、床面全体をムラなく除菌することが可能である。
【０００５】
その場合、床面上における水膜が形成されている場所に続けて新たな除菌水が着水すると、その水膜における水量が増加する。この水量増加は、除菌水が床面の排水勾配に沿って排水口に向かって流れる力を増大させ、除菌効果が発揮される前に除菌水が排水されてしまう懸念がある。結果として、床面全体をムラなく除菌するために必要な除菌水の水量増加をまねいてしまう。水膜の水量を抑えるためには、断続的吐水が考えられる。
【０００６】
特許文献１には、除菌水を断続的に吐水することについての開示があるが、除菌水の単純な断続的吐水では、除菌水が着水する所と、着水しない所が発生し、除菌ムラが発生し、少量の除菌水での床面全体の除菌が難しくなる。
【０００７】
本発明は、かかる課題の認識に基づいてなされたものであり、少量の除菌水で洗い場床全体を除菌することができる浴室洗い場用除菌水吐水装置を提供することを目的とする。
【課題を解決するための手段】
【０００８】
第１の発明の浴室洗い場用除菌水吐水装置は、排水勾配を有する床に除菌水を吐水する浴室洗い場用除菌水吐水装置であって、水道水を変性して前記除菌水を生成する除菌水生成部と、前記除菌水を前記床に吐水する吐水口を有するノズルと、前記ノズルの動作を制御する制御部と、を備えている。前記制御部は、前記ノズルを動かすことで洗浄領域を変更し、前記吐水口から前記除菌水を前記床の全体に連続吐水する第一除菌水吐水工程と、前記第一除菌水吐水工程の後に実行され、前記ノズルを動かすことで洗浄領域を変更し、前記吐水口から前記除菌水を前記床の全体に連続吐水する第二除菌水吐水工程と、前記第一除菌水吐水工程と前記第二除菌水吐水工程との間に前記吐水口からの前記除菌水の吐水を停止することで、前記除菌水が菌に作用する時間を確保する作用時間確保工程と、を実行することを特徴とする。  
第１の発明によれば、洗い場床の全体に除菌水を連続吐水する第一除菌水吐水工程と第二除菌水吐水工程を実行することで、床面全体に除菌水の水膜を形成することができる。これは、除菌水が作用しない領域の発生、すなわち洗い場床における除菌ムラを防止する。また、第一除菌水吐水工程と第二除菌水吐水工程との間に、除菌水の吐水を停止させる作用時間確保工程を設けることで、床面上の除菌水の排水速度を遅くし、除菌水が菌などに作用する除菌時間を長くすることができる。結果として、除菌水の使用量を少なくすることができる。  
第２の発明は、第１の発明において、前記第一除菌水吐水工程の吐水と前記第二除菌水吐水工程の吐水を、同じ洗浄領域から開始することを特徴とする。  
第２の発明によれば、作用時間確保工程で床の全面から除菌水が排水されるのを待たなくてもよく、作用時間確保工程の時間を短くでき、洗い場床全体を除菌するための所要時間を短縮することができる。  
第３の発明は、第１または第２の発明において、前記第二除菌水吐水工程における前記除菌水の吐水量は、前記第一除菌水吐水工程における前記除菌水の吐水量よりも少ないことを特徴とする。  
第３の発明によれば、作用時間確保工程が終了した後においても、第一除菌水吐水工程中に吐水した除菌水の一部が水滴として床面に残っている場合が多く、第二除菌水吐水工程では水膜が形成されやすい状態である。そのため、第二除菌水吐水工程では、除菌水の吐水量を第一除菌水吐水工程よりも少なくしても水膜が形成されやすい。結果として、洗い場床全体を除菌するために必要なトータルの除菌水の水量を少なくすることができる。
【発明の効果】
【０００９】
本発明によれば、少量の除菌水で洗い場床全体を除菌することができる。
【図面の簡単な説明】
【００１０】
【図１】実施形態の浴室洗い場用除菌水吐水装置の構成を例示する模式図。
【図２】実施形態の浴室洗い場用除菌水吐水装置が設置された浴室を表す模式斜視図。
【図３】（ａ）は実施形態の除菌水吐水部を例示する模式斜視図であり、（ｂ）は実施形態の除菌水吐水部を例示する模式断面図。
【図４】実施形態の除菌水吐水部から除菌水が吐水された状態を例示する模式側面図。
【図５】（ａ）は実施形態の第一除菌水吐水工程を例示する模式平面図であり、（ｂ）は実施形態の作用時間確保工程を例示する模式平面図であり、（ｃ）は実施形態の第二除菌水吐水工程を例示する模式平面図である。
【発明を実施するための形態】
【００１１】
以下、図面を参照し、実施形態について説明する。各図面中、同じ要素には同じ符号を付している。
【００１２】
図１は、本発明の実施形態の浴室洗い場用除菌水吐水装置１００の構成を例示する模式図である。
【００１３】
実施形態の浴室洗い場用除菌水吐水装置（以下、説明の便宜上、単に「除菌水吐水装置」と称する）１００は、除菌水吐水部１０と、除菌水生成部２０と、制御部３０と、を備える。除菌水吐水装置１００は、浴室に設置され、浴室の洗い場床を除菌する装置である。
【００１４】
まず、図２（ａ）および（ｂ）を参照して、実施形態の除菌水吐水装置１００が設置される浴室の例について説明する。  
図２（ａ）は、浴室５００の模式斜視図である。  
図２（ｂ）は、浴室５００におけるカウンタ５３０の近傍を拡大した模式斜視図である。
【００１５】
図２（ａ）に表したように、浴室５００は、第１〜第４の壁５４１〜５４４と天井５４５に囲まれている。その浴室５００内に、浴槽５１０、洗い場床５２０、およびカウンタ５３０が設けられている。さらに、浴室５００には、鏡、給水栓、シャワーホースなどが適宜設けられている。
【００１６】
浴槽５１０の短辺側に、第１の壁５４１と第２の壁５４２が対向して設けられている。浴槽５１０の長辺側に第４の壁５４４が設けられている。第４の壁５４４に対向して、洗い場床５２０側に第３の壁５４３が設けられている。
【００１７】
洗い場床５２０には、排水口５２１が設けられている。図２に示す例では、排水口５２１は、洗い場床５２０の浴槽５１０側の縁部における、第１の壁５４１と第２の壁５４２とを結ぶ方向の中央付近に設けられている。
【００１８】
洗い場床５２０の床面には、第１の壁５４１側の縁部、第２の壁５４２側の縁部、および第３の壁５４３側の縁部から、排水口５２１へ向かう緩やかな下り傾斜が、排水勾配として設けられている。
【００１９】
カウンタ５３０、鏡、給水栓およびシャワーホースは、例えば、第２の壁５４２に取り付けられている。
【００２０】
カウンタ５３０は、洗い場床５２０の床面から上方に離間して設置されている。カウンタ５３０は、上方から見たときに、横方向に長い略矩形状の形状を有する。カウンタ５３０の横方向における幅は、洗い場床５２０の横方向における幅と同等である。
【００２１】
除菌水吐水部１０は、カウンタ５３０の下部に設けられている。除菌水吐水部１０は、洗い場床５２０から離間した位置に配置されている。除菌水吐水部１０は、例えば、カウンタ５３０の長手方向における中央付近に設置されている。すなわち、除菌水吐水部１０は、洗い場床５２０の短辺方向（第４の壁５４４と第３の壁５４３とを結ぶ方向）における中央付近に設置されている。これにより、除菌水を洗い場床５２０の全体に吐出しやすくなる。
【００２２】
カウンタ５３０は、天板５３１と、前カバー５３２と、下カバー５３３（図１に示す）と、を有する。
【００２３】
図１は、カウンタ５３０を側方から見た様子を表している。例えば、除菌水吐水部１０は、下カバー５３３から下方に突出するように設けられている。
【００２４】
浴室５００の外部には、給水管５１と、給湯管５２と、が設けられている。給水管５１は、図示しない水道管と接続されている。給水管５１から水道水が除菌水吐水部１０に供給される。
【００２５】
図１に示すように、カウンタ５３０における天板５３１と前カバー５３２と下カバー５３３の内側には、止水栓５３と、電磁弁５４と、調圧弁５５と、逆止弁５６と、除菌水生成部２０と、モータ１７と、制御部３０と、が設けられている。
【００２６】
止水栓５３は、給水管５１と接続されている。給水管５１と除菌水吐水部１０との間の流路において、上流側から順に、止水栓５３、電磁弁５４、調圧弁５５、逆止弁５６、および除菌水生成部２０が接続されている。
【００２７】
なお、止水栓５３、電磁弁５４、調圧弁５５、逆止弁５６、除菌水生成部２０、モータ１７、および制御部３０の少なくとも一部は、カウンタ５３０の外部または浴室５００の外部に設けられていてもよい。例えば、図２（ａ）に表したように、制御部３０を浴室５００の外部に設けてもよい。
【００２８】
止水栓５３および電磁弁５４の開閉によって、下流側への水道水の供給／遮断が制御される。制御部３０からの信号を受け、電磁弁５４は、水道水の流路を開く動作、または、水道水の流路を閉じる動作を行う。
【００２９】
調圧弁５５は、供給された水道水の圧力を制御する。これにより、除菌水生成部２０に供給される水道水の流量を調整することができる。除菌水生成部２０に供給される水道水の流量を調整することで、除菌水吐水部１０に供給される除菌水の流量が調整される。なお、電磁弁５４を用いて、流量を調整してもよい。
【００３０】
除菌水生成部２０は、例えば、陽極と陰極とを有する電解槽である。除菌水生成部２０は、陽極と陰極との間に電圧を印加して、陽極と陰極との間を流れる水道水を電気分解する。これにより、除菌水生成部２０は、水道水を変性して除菌水を生成する。
【００３１】
除菌水は、例えば、次亜塩素酸を含む水である。水道水は、塩化物イオンを含んでいるため、その塩化物イオンを電気分解することによって、次亜塩素酸が生成される。その結果、電気分解された水は、次亜塩素酸を含む液に変化する。
【００３２】
除菌水は、金属イオン水（例えば、銀イオン、銅イオンまたは亜鉛イオンなどの金属イオンを含む水）またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。除菌水生成部２０における流量を変化させることで、除菌水に含まれる成分の濃度を制御することができる。なお、除菌水生成部２０は、電解槽に限定されるわけではない。例えば、除菌水は、除菌剤を水道水に溶解させて生成された除菌水であってもよい。
【００３３】
除菌水生成部２０において生成された除菌水は、除菌水吐水部１０に供給され、除菌水吐水部１０から洗い場床５２０上に吐出される。この除菌水により、洗い場床５２０は除菌される。
【００３４】
除菌水吐水部１０は、例えばモータ１７により、回転動作またはスライド動作可能である。モータ１７は例えばステッピングモータであり、後述するように、そのモータ１７によって、除菌水吐水部１０を鉛直軸まわりに回転させ、除菌水が吐出される方向を変化させることができる。
【００３５】
制御部３０は、電磁弁５４、除菌水生成部２０、およびモータ１７と電気的に接続されている。制御部３０は、電磁弁５４、除菌水生成部２０、およびモータ１７の動作を制御することで、除菌水が吐出される形態（吐水方法、撒き方）を制御することができる。
【００３６】
例えば、電磁弁５４は、制御部３０からの信号に基づいて、水道水の流路の開閉を行う。これにより、下流側に供給される水道水の流量が制御される。また、除菌水生成部２０は、制御部３０からの信号に基づいて、電解槽のＯＮ／ＯＦＦを切り替える。制御部３０からモータ１７に送信される信号に基づいて、除菌水吐水部１０は、回転角度や回転速度を変化させる。このようにして制御部３０は、除菌水の濃度、吐出される除菌水の瞬間流量、吐出される除菌水の総量、除菌水吐水部１０の動作、および除菌水の吐出方向などを制御することができる。
【００３７】
図２（ａ）に表したように、制御部３０と電気的に接続された操作部３５が、浴室５００の内側または浴室５００の外側に設けられている。除菌水吐水装置１００の使用者は、この操作部３５を用いて、除菌水吐水装置１００の動作を操作することができる。
【００３８】
次に、実施形態の除菌水吐水部１０の例について説明する。
【００３９】
図３（ａ）は、実施形態の除菌水吐水部１０を例示する模式斜視図であり、図３（ｂ）は、図３（ａ）におけるＡ−Ａ’断面図である。
【００４０】
図３（ａ）および図３（ｂ）に表したように、除菌水吐水部１０は、第１のノズル１１と、第２のノズル１２と、貯水部１３と、を有する。
【００４１】
貯水部１３は、例えば円筒状であり、その内部の空間に除菌水生成部２０から供給された除菌水を一時的に溜めることができる。第１のノズル１１および第２のノズル１２は、貯水部１３の側面に設けられている。第１のノズル１１は、第２のノズル１２よりも鉛直方向の上方に設けられている。
【００４２】
第１のノズル１１は第１の吐水口１１ａを有し、第２のノズル１２は第２の吐水口１２ａを有する。貯水部１３内における除菌水が溜まる空間は、第１の吐水口１１ａおよび第２の吐水口１２ａを介して、外部と連通している。
【００４３】
貯水部１３内の除菌水は、第１の吐水口１１ａおよび第２の吐水口１２ａから、洗い場床上に吐出する。例えば、第１の吐水口１１ａおよび第２の吐水口１２ａから同時に除菌水が吐出される。貯水部１３を設けることによって、除菌水を一時的に貯留し、吐水圧力を上昇させることができる。
【００４４】
図４（ａ）および（ｂ）は、実施形態の除菌水吐水部１０から除菌水が吐水された状態を例示する模式側面図である。図４（ｂ）は、図４（ａ）の除菌水吐水部１０の近傍を拡大して表している。
【００４５】
第２のノズル１２は水平方向よりも下向きに傾いており、その第２のノズル１２よりも上方に設けられた第１のノズル１１は、水平方向よりも上向きに傾いている。したがって、第１のノズル１１から吐出された除菌水は、第２のノズル１２から吐出された除菌水よりも、除菌水吐水部１０から遠い領域まで届く。
【００４６】
第１のノズル１１は、洗い場床５２０のうち除菌水吐水部１０から遠い範囲を受け持つ遠方用ノズルである。第２のノズル１２は、洗い場床５２０のうち除菌水吐水部１０から近い範囲を受け持つ近傍用ノズルである。
【００４７】
また、この例では、上から見たときに、第２のノズル１２から除菌水が吐出される方向は、第１のノズル１１から除菌水が吐出される方向に沿った方向である。第１のノズル１１の吐水方向は、第２のノズル１２の吐水方向と実質的に同じである。なお、本願明細書において「吐水方向」とは、上から見たときの、除菌水が吐出される方向をいうものとする。
【００４８】
上から見たとき、除菌水が複数の方向に広がる範囲をもって吐出される場合には、複数の方向の中央を「吐水方向」とすることができる。あるいは、上から見たときに、吐水口１１ａ、１２ａを中心に扇状または三角形状に広がって除菌水が吐水される場合、その扇状または三角形状の範囲を概略二等分する方向を「吐水方向」とすることができる。
【００４９】
浴室の洗い場床の表面には、複数の凸部と複数の凹部（溝部）が形成されていることが多い。凸部は滑り止めの機能を担う。また、凹部を、凸部の周囲を囲むように複数の凸部の間に途切れることなく連続して形成し、その凹部（溝部）に流れ込んだ水を排水口まで途切れることなくゆっくりと排水させることで優れた排水性をもつ洗い場床もある。そのような洗い場床上で除菌水が大きな水滴を多数形成すると、上記凹部（溝部）で複数の水滴がつながり、排水勾配に沿って排水口に流れやすくなる。
【００５０】
実施形態の除菌水吐水部１０の第１の吐水口１１ａの径および第２の吐水口１２ａの径は小さいため、除菌水は、例えば霧状（ミスト）となって吐出される。このような霧状の除菌水は、洗い場床上で大きな水滴になりにくく、洗い場床上に滞留しやすい。滞留性の高い形態で除菌水を吐出することによって、除菌水が洗い場床上の菌に作用する時間を確保することができる。これにより、より少ない量の除菌水で、洗い場床を除菌することができる。
【００５１】
図３（ａ）に表したように、第１のノズル１１における第１の吐水口１１ａの近傍に上下方向に沿った溝１１ｇが設けられている。この溝１１ｇによって、第１の吐水口１１ａから除菌水が吐出される方向が制御される。同様に、第２のノズル１２における第２の吐水口１２ａ近傍に設けられた上下方向に沿った溝１２ｇによって、第２の吐水口１２から除菌水が吐出される方向が制御される。例えば、図４（ｂ）に模式的に表したように、除菌水は、第１の吐水口１１ａおよび第２の吐水口１２ａから上下方向に広がりをもって吐出される。
【００５２】
モータ１７の駆動により、第１のノズル１１および第２のノズル１２は、一体となって鉛直軸（図４（ｂ）に１点鎖線で仮想的に示す）のまわりに回転可能である。第１のノズル１１および第２のノズル１２が回転することで吐水方向が変わる。吐水方向の変更により、洗い場床５２０の床面上における除菌水の吐水領域（洗浄領域）を変えることができ、洗い場床５２０の全体にムラなく除菌水を吐水可能である。または、第１のノズル１１および第２のノズル１２は、カウンタ５３０の長手方向に沿って往復移動する構成でもよい。
【００５３】
なお、ノズル１１、１２の吐水口１１ａ、１２ａの開口径を小さくすると、遠方まで除菌水を吐水できるようになるが、吐水される範囲が狭くなってしまう。実施形態では、第１のノズル１１および第２のノズル１２を動かす（例えば回転させる）ことで、洗い場床５２０の全体に除菌水を吐水することができる。
【００５４】
ノズル１１、１２を動かすモータ１７の駆動は、制御部３０によって制御される。また、制御部３０は、第一除菌水吐水工程と、第二除菌水吐水工程と、作用時間確保工程と、を実行する。
【００５５】
図５（ａ）は第一除菌水吐水工程を表し、図５（ｂ）は作用時間確保工程を表し、図５（ｃ）は第二除菌水吐水工程を表す。
【００５６】
図５（ａ）〜（ｃ）は、洗い場床５２０の床面を上から見た模式平面を表す。図５（ａ）〜（ｃ）において、床面上の除菌水の水膜を、網掛けまたはグレーで表される領域で模式的に表す。
【００５７】
第一除菌水吐水工程において、ノズル１１、１２を含む除菌水吐水部１０は、図５（ａ）において、例えば矢印２００の方向に回転され、ノズル１１、１２の吐水口１１ａ、１２ａから、除菌水が洗い場床５２０の全体に連続吐水される。ここで、「連続」とは、吐水口１１ａ、１２ａから除菌水が途切れることなく吐水し続けることを表す。除菌水吐水部１０の回転は連続的でも、断続的でもよい。
【００５８】
第一除菌水吐水工程の後には、作用時間確保工程を経て、第二除菌水吐水工程が実行される。
【００５９】
第二除菌水吐水工程においても、第一除菌水吐水工程と同様に、除菌水吐水部１０が図５（ｃ）において、例えば矢印２００の方向に回転され、吐水口１１ａ、１２ａから、除菌水が洗い場床５２０の全体に連続吐水される。ここでも、「連続」とは、吐水口１１ａ、１２ａから除菌水が途切れることなく吐水し続けることを表す。除菌水吐水部１０の回転は連続的でも、断続的でもよい。
【００６０】
第一除菌水吐水工程と第二除菌水吐水工程との間には、作用時間確保工程が実行される。作用時間確保工程においては、吐水口１１ａ、１２ａからの除菌水の吐水が停止され、除菌水が床面上の菌などに作用する時間が確保される。
【００６１】
洗い場床５２０の全体に除菌水を連続吐水する第一除菌水吐水工程と第二除菌水吐水工程を実行することで、図５（ａ）および（ｃ）において網掛けまたはグレーで模式的に表すように、床面全体に除菌水の水膜を形成することができる。このため、除菌水が作用しない領域の発生を防止でき、洗い場床５２０における除菌ムラを防止できる。
【００６２】
第一除菌水吐水工程で除菌水の水膜を形成した後、その水膜の上に新たにノズル１１、１２から吐水された除菌水が着水してしまうと、水膜の水量が増加する。この水量増加は、除菌水が床面の排水勾配に沿って排水口５２１に向かって流れる力を増大させ、除菌効果が発揮される前に除菌水が排水されてしまう懸念がある。
【００６３】
そこで、実施形態では、第一除菌水吐水工程と第二除菌水吐水工程との間に、除菌水の吐水を停止する作用時間確保工程を設けている。作用時間確保工程においては、第一除菌水吐水工程で形成された除菌水の水膜の上に、ノズル１１、１２から新たに吐水された除菌水が着水することが防止される。
【００６４】
このため、除菌水の水膜の水量増大にともなう排水促進が防止され、除菌水が洗い場床５２０の床面上に長く滞留することができる。これは、除菌水が床面上の菌などに作用する時間を長くし、除菌効果を発揮する前に排水される除菌水の水量を少なくすることができる。結果として、洗い場床５２０全体を除菌するために必要な除菌水の水量を少なくすることができる。
【００６５】
さらに、除菌水は床面上を排水口５２１に向かって流れる過程においても床面上の菌などに対して除菌作用を発揮する。実施形態によれば、除菌水の排水速度を遅くできるので、排水過程の除菌水による除菌時間も長くすることができる。
【００６６】
実施形態によれば、新たな除菌水をノズル１１、１２から吐水し続けるのではなく、あえて除菌水の吐水を停止させる期間を設けることで、除菌水の排水速度を遅くし、除菌水が菌などに作用する除菌時間を長くすることができる。結果として、除菌水の使用量を少なくすることができる。
【００６７】
また、第一除菌水吐水工程および第二除菌水吐水工程では、除菌水をノズル１１、１２から連続吐水しつつ、そのノズル１１、１２を動かすことで、洗い場床５２０の全体にムラ無く除菌水の水膜を形成できる。
【００６８】
さらに、前述したように、第１の吐水口１１ａの径および第２の吐水口１２ａの径は小さいため、除菌水は、例えば霧状（ミスト）となって吐出され、洗い場床５２０上に水膜として滞留しやすい。
【００６９】
第一除菌水吐水工程、作用時間確保工程（除菌水の吐水停止）、および第二除菌水吐水工程のサイクルは、１サイクルの実行でもよいし、複数サイクル繰り返されてもよい。複数サイクル繰り返す場合、前のサイクルの第二除菌水吐水工程が、次のサイクルの第一除菌水吐水工程となる。
【００７０】
また、第一除菌水吐水工程の吐水と、第二除菌水吐水工程の吐水を、同じ洗浄領域から開始することが望ましい。例えば、図５（ａ）に示す第一除菌水吐水工程では、洗い場床５２０の左端側の領域から除菌水の吐水が開始され、矢印２００で表す方向への除菌水吐水部１０の回転にともない、洗浄領域が洗い場床５２０の右端側へと移っていく。例えば、第一除菌水吐水工程では、除菌水吐水部１０は洗い場床５２０の左側の縁部に吐水方向を向けた位置（開始位置）から、洗い場床５２０の右側の縁部に吐水方向を向けた位置（停止位置）までの約３００°の回転を１回だけ行う。
【００７１】
そして、作用時間確保工程を経た後の、第二除菌水吐水工程においても、同様に、洗い場床５２０の左端側の領域から除菌水の吐水が開始され、図５（ｃ）において矢印２００で表す方向への除菌水吐水部１０の回転にともない、洗浄領域が洗い場床５２０の右端側へと移っていく。第二除菌水吐水工程においても、除菌水吐水部１０は洗い場床５２０の左側の縁部に吐水方向を向けた位置（開始位置）から、洗い場床５２０の右側の縁部に吐水方向を向けた位置（停止位置）までの約３００°の回転を１回だけ行う。
【００７２】
最初に除菌水が着水した領域は、その後に除菌水が着水した領域に比べて早く除菌水が排水される。上記例の場合では、作用時間確保工程において、洗い場床５２０の左端側の領域の除菌水は、右端側の領域の除菌水よりも早く排水される。したがって、洗い場床５２０の全面から除菌水の水膜がなくなるのを待たなくても、次の第二除菌水吐水工程で左端側の領域から除菌水の吐水を開始すれば、第一除菌水吐水工程で形成された水膜の上に第二除菌水吐水工程で吐水された除菌水が着水しないようにできる。第二除菌水吐水工程の吐水を左端側の領域に行っている間に、第一除菌水吐水工程で形成された右端側の領域の除菌水は排水できる。
【００７３】
したがって、第一除菌水吐水工程と第二除菌水吐水工程とで、同一の洗浄領域から除菌水の吐水を開始することで、作用時間確保工程の時間を短くでき、洗い場床全体を除菌するための所要時間を短縮することができる。
【００７４】
また、第二除菌水吐水工程における除菌水の吐水量は、第一除菌水吐水工程における除菌水の吐水量よりも少なくすることができる。
【００７５】
吐水が停止される時間（作用時間確保工程の時間）は、除菌水が完全に床面から排水されるほどの長時間ではない。そのため、作用時間確保工程が終了した後においても、第一除菌水吐水工程中に吐水した除菌水の一部が水滴として床面に残っている場合が多く、第二除菌水吐水工程では水膜が形成されやすい状態である。
【００７６】
そのため、第二除菌水吐水工程では、除菌水の吐水量を第一除菌水吐水工程よりも少なくしても水膜が形成されやすい。結果として、洗い場床５２０全体を除菌するために必要なトータルの除菌水の水量を少なくすることができる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１０…除菌水吐水部、１１…第１のノズル、１１ａ…第１の吐水口、１２…第２のノズル、１２ａ…第２の吐水口、２０…除菌水生成部、３０…制御部、５００…浴室、５２０…洗い場床、５２１…排水口、５３０…カウンタ
【図１】
2016174754.tif 000003
【図２】
2016174754.tif 000004
【図３】
2016174754.tif 000005
【図４】
2016174754.tif 000006
【図５】
2016174754.tif 000007